【手続補正書】
【提出日】平成29年9月6日(2017.9.6)
【手続補正１】
【補正対象書類名】特許請求の範囲
【補正対象項目名】全文
【補正方法】変更
【補正の内容】
【特許請求の範囲】
【請求項１】
セルの複数の列を含むバッテリーパック；
該バッテリーパックのセルの隣接した列と接触する一つまたは複数のミニチャネル管；
該セルの列の一つまたは複数のセルの温度を測定するための、温度センサー；および
該一つまたは複数のセルの温度を特定の温度範囲内に維持するように、該温度センサーからの測定された温度に基づいて、該一つまたは複数のミニチャネル管内の流体の流速を変動させるための、ポンプ
を含む、バッテリー熱管理システム。
【請求項２】
前記流体から粒子を除去するためのフィルターをさらに含む、請求項1に記載のシステム。
【請求項３】
ポンプが、一つまたは複数のミニチャネル管の各々において前記流体の流速を個々に変動させるためのものである、請求項1に記載のシステム。
【請求項４】
一つまたは複数のミニチャネル管が、一つまたは複数のセルのうちの一つのセルの温度を変化させるためのものである、請求項1に記載のシステム。
【請求項５】
ミニチャネル管が、セルの電解質と接触するように、一つまたは複数のセルのうちの一つのセルの少なくとも部分的に内部にある、請求項1に記載のシステム。
【請求項６】
一つまたは複数のミニチャネル管のうちの一つのミニチャネル管が、一つまたは複数のセルのうちの一つのセルのくぼみの中に位置している、請求項1に記載のシステム。
【請求項７】
一つまたは複数のミニチャネル管が、概ね「U」字形であり、かつ、一つまたは複数のセルのうちの一つのセルの少なくとも二つの側面に熱的に結合している、請求項1に記載のシステム。
【請求項８】
一つまたは複数のミニチャネル管が、各々、約0.2ミリメートル〜約3.0ミリメートルの水力直径を含む、請求項1に記載のシステム。
【請求項９】
一つまたは複数のミニチャネルの各々の壁の厚さが、約100マイクロメートル〜約200マイクロメートルである、請求項1に記載のシステム。
【請求項１０】
一つまたは複数のセルが、リチウムイオンセルであり、特定の温度範囲が、約20℃〜約30℃である、請求項1に記載のシステム。
【請求項１１】
一つまたは複数のミニチャネル管が、一つまたは複数のセルの壁から独立した壁を含む、請求項1に記載のシステム。
【請求項１２】
バッテリーパックのセルの隣接した列の間にありかつ該セルの隣接した列と接触する一つまたは複数のミニチャネル管に、流体をポンプで注入する工程；
該セルの列の一つまたは複数のセルのうちの一つのセルの温度を測定する工程；および
該一つまたは複数のセルの温度を特定の温度範囲内に維持するように、該流体の温度を変化させる工程
を含む、バッテリーセルの温度を管理する方法。
【請求項１３】
一つまたは複数のミニチャネル管の各々において前記流体の流速を個々に変動させる工程をさらに含む、請求項12に記載の方法。
【請求項１４】
前記流体の温度を変化させる工程が、一つまたは複数のミニチャネル管のうちの一つのミニチャネル管の温度を変化させるように該流体の温度を変化させることを含む、請求項12に記載の方法。
【請求項１５】
一つまたは複数のミニチャネル管のうちの少なくとも一つが、一つまたは複数のセルの電解質と接触するように、該一つまたは複数のセルの少なくとも部分的に内部に位置している、請求項12に記載の方法。
【請求項１６】
一つまたは複数のミニチャネル管のうちの一つのミニチャネル管が、一つまたは複数のセルのうちの一つのセルのくぼみの中に位置している、請求項12に記載の方法。
【請求項１７】
一つまたは複数のセルが、リチウムイオンセルであり、特定の温度範囲が、約20℃〜約30℃である、請求項12に記載の方法。
【請求項１８】
セルの複数の列で配列された一つまたは複数のバッテリーセルを含むバッテリーパック；
該セルの列のうちの隣接した列のバッテリーセルの間にありかつ該バッテリーセルと接触するように、該一つまたは複数のバッテリーセルに取り付けられた、一つまたは複数のミニチャネル管；および
ポンプから流体を受け、かつ該流体を該一つまたは複数のミニチャネル管に導くように構成されている、該一つまたは複数のミニチャネル管に結合した入力ポート
を含む、装置。
【請求項１９】
一つまたは複数のバッテリーセルのうちの一つのバッテリーセルが、その側壁にくぼみを含み、一つまたは複数のミニチャネル管のうちの一つのミニチャネル管が、該くぼみにおいて該バッテリーセルに接触するように、該くぼみの中に少なくとも部分的に位置している、請求項18に記載の装置。
【請求項２０】
一つまたは複数のミニチャネル管のうちの一つのミニチャネル管が、バッテリー中の電解質に接触するように、一つまたは複数のバッテリーセルのうちの一つのバッテリーセル内に少なくとも部分的に位置している、請求項18に記載の装置。
【請求項２１】
一つまたは複数のバッテリーセルが、リチウムイオンバッテリーセルであり、一つまたは複数のミニチャネル管が、アルミニウムを含む、請求項18に記載の装置。
【請求項２２】
アレイ状に配列されたバッテリーセルの複数の列；および
隣接した列の両方におけるセルに同時に熱的に接触するように、該バッテリーセルの複数の列のうちの隣接した列の間に位置している、一つまたは複数のミニチャネル管
を含む、装置。
【請求項２３】
複数の入力ポートおよび複数の出力ポートをさらに含む装置であって、流体が入力ポートからミニチャネル管を通って出力ポートに流れることができるように、一つまたは複数のミニチャネル管のうちの各ミニチャネル管が、該複数の入力ポートのうちの一つの入力ポートおよび該複数の出力ポートのうちの一つの出力ポートに連結されている、請求項22に記載の装置。
【請求項２４】
前記複数の入力ポートに前記流体をポンプで注入するために、該複数の入力ポートおよび前記複数の出力ポートに結合したポンプをさらに含む、請求項23に記載の装置。
【請求項２５】
ミニチャネル管が、概ね「U」字形であるようにさらに構成され、かつ、バッテリーセルの複数の列のうちの一つの列においてセルの二つの対向する側面に熱的に接触するようにさらに構成されている、請求項22に記載の装置。
【手続補正２】
【補正対象書類名】明細書
【補正対象項目名】０００４
【補正方法】変更
【補正の内容】
【０００４】
[本発明1001]
バッテリーパック内の一つまたは複数のセルと熱的に接触するように構成されている、一つまたは複数のミニチャネル管；
該一つまたは複数のセルの温度を測定するための、温度センサー；および
該一つまたは複数のセルの温度を特定の温度範囲内に維持するように、該温度センサーからの測定された温度に基づいて、該一つまたは複数のミニチャネル管内の流体の流速を変動させるための、ポンプ
を含む、バッテリー熱管理システム。
[本発明1002]
前記流体から粒子を除去するためのフィルターをさらに含む、本発明1001のシステム。
[本発明1003]
ポンプが、一つまたは複数のミニチャネル管の各々において前記流体の流速を個々に変動させるためのものである、本発明1001のシステム。
[本発明1004]
一つまたは複数のミニチャネル管が、一つまたは複数のセルのうちの一つのセルの温度を変化させるためのものである、本発明1001のシステム。
[本発明1005]
ミニチャネル管が、セルの電解質と接触するように、一つまたは複数のセルのうちの一つのセルの少なくとも部分的に内部にある、本発明1001のシステム。
[本発明1006]
一つまたは複数のミニチャネル管のうちの一つのミニチャネル管が、一つまたは複数のセルのうちの一つのセルのくぼみの中に位置している、本発明1001のシステム。
[本発明1007]
一つまたは複数のミニチャネル管が、概ね「U」字形であり、かつ、一つまたは複数のセルのうちの一つのセルの少なくとも二つの側面に熱的に結合している、本発明1001のシステム。
[本発明1008]
一つまたは複数のミニチャネル管が、各々、約0.2ミリメートル〜約3.0ミリメートルの水力直径を含む、本発明1001のシステム。
[本発明1009]
一つまたは複数のミニチャネルの各々の壁の厚さが、約100マイクロメートル〜約200マイクロメートルである、本発明1001のシステム。
[本発明1010]
一つまたは複数のセルが、リチウムイオンセルであり、特定の温度範囲が、約20℃〜約30℃である、本発明1001のシステム。
[本発明1011]
一つまたは複数のミニチャネル管が、一つまたは複数のセルの壁から独立した壁を含む、本発明1001のシステム。
[本発明1012]
バッテリーパックの一つまたは複数のセルと熱的に接触するように構成されている一つまたは複数のミニチャネル管に、流体をポンプで注入する工程；
該一つまたは複数のセルのうちの一つのセルの温度を測定する工程；および
該一つまたは複数のセルの温度を特定の温度範囲内に維持するように、該流体の温度を変化させる工程
を含む、バッテリーセルの温度を管理する方法。
[本発明1013]
一つまたは複数のミニチャネル管の各々において前記流体の流速を個々に変動させる工程をさらに含む、本発明1012の方法。
[本発明1014]
前記流体の温度を変化させる工程が、一つまたは複数のミニチャネル管のうちの一つのミニチャネル管の温度を変化させるように該流体の温度を変化させることを含む、本発明1012の方法。
[本発明1015]
一つまたは複数のミニチャネル管のうちの少なくとも一つが、一つまたは複数のセルの電解質と接触するように、該一つまたは複数のセルの少なくとも部分的に内部に位置している、本発明1012の方法。
[本発明1016]
一つまたは複数のミニチャネル管のうちの一つのミニチャネル管が、一つまたは複数のセルのうちの一つのセルのくぼみの中に位置している、本発明1012の方法。
[本発明1017]
一つまたは複数のセルが、リチウムイオンセルであり、特定の温度範囲が、約20℃〜約30℃である、本発明1012の方法。
[本発明1018]
一つまたは複数のバッテリーセル；
該一つまたは複数のバッテリーセルに熱的に接触するように、該一つまたは複数のバッテリーセルに取り付けられた、一つまたは複数のミニチャネル管；および
ポンプから流体を受け、かつ該流体を該一つまたは複数のミニチャネル管に導くように構成されている、該一つまたは複数のミニチャネル管に結合した入力ポート
を含む、装置。
[本発明1019]
一つまたは複数のバッテリーセルのうちの一つのバッテリーセルが、その側壁にくぼみを含み、一つまたは複数のミニチャネル管のうちの一つのミニチャネル管が、該くぼみにおいて該バッテリーセルに接触するように、該くぼみの中に少なくとも部分的に位置している、本発明1018の装置。
[本発明1020]
一つまたは複数のミニチャネル管のうちの一つのミニチャネル管が、バッテリー中の電解質に接触するように、一つまたは複数のバッテリーセルのうちの一つのバッテリーセル内に少なくとも部分的に位置している、本発明1018の装置。
[本発明1021]
一つまたは複数のバッテリーセルが、リチウムイオンバッテリーセルであり、一つまたは複数のミニチャネル管が、アルミニウムを含む、本発明1018の装置。
[本発明1022]
アレイ状に配列されたバッテリーセルの複数の列；および
隣接した列の両方におけるセルに同時に熱的に接触するように、該バッテリーセルの複数の列のうちの隣接した列の間に位置している、一つまたは複数のミニチャネル管
を含む、装置。
[本発明1023]
複数の入力ポートおよび複数の出力ポートをさらに含む装置であって、流体が入力ポートからミニチャネル管を通って出力ポートに流れることができるように、一つまたは複数のミニチャネル管のうちの各ミニチャネル管が、該複数の入力ポートのうちの一つの入力ポートおよび該複数の出力ポートのうちの一つの出力ポートに連結されている、本発明1022の装置。
[本発明1024]
前記複数の入力ポートに前記流体をポンプで注入するために、該複数の入力ポートおよび前記複数の出力ポートに結合したポンプをさらに含む、本発明1023の装置。
[本発明1025]
ミニチャネル管が、概ね「U」字形であるようにさらに構成され、かつ、バッテリーセルの複数の列のうちの一つの列においてセルの二つの対向する側面に熱的に接触するようにさらに構成されている、本発明1022の装置。